(57)【要約】【課題】ＥＭＩ対策が要求される電子機器に適用する端子台として、端子台自身にノイズフィルタ機能を付与した新規な端子台を提供する。【解決手段】電子機器ユニットに適用する端子台で、その絶縁基台１の上に電源ラインないし信号ラインの入，出力配線５，６に対応する端子ねじ３付きの端子板３を左右に並べて敷設したものにおいて、電源，信号ラインを伝播経路とする伝導ノイズの減衰手段として、絶縁基台１に、端子板２と組合せてチョークコイルを構成するように閉磁路コア４を設け、その貫通穴４ａに端子板２を貫通して配置する。これにより、端子台で外来，放出ノイズを減衰させることができ、電子機器の内部回路に組み付けるフィルタ回路，フェライトコアなどのノイズ対策部品を省略して簡素化，コストダウンが図れる。【選択図】        図１
2008004508.tif 000002
【特許請求の範囲】
【請求項１】
電子機器ユニットに適用する端子台であり、その絶縁基台上に並置して電源ラインないし信号ラインの外部配線に対応する端子板を敷設したものにおいて、
前記の電源，信号ラインを伝播経路とする伝導ノイズの減衰手段として、絶縁基台に、端子板と組合せてチョークコイルを構成する磁心部材を設けたことを特徴とする端子台。
【請求項２】
請求項１に記載の端子台において、磁心部材が閉磁路コアであり、該コアに端子板を貫通させて配置したことを特徴とする端子台。
【請求項３】
請求項１に記載の端子台において、磁心部材が開磁路コアであり、該コアを端子板に添わせて配置したことを特徴とする端子台。
【請求項４】
請求項２に記載の端子台において、磁心部材が、各端子板と個々に対応する複数の閉磁路コアであることを特徴とする端子台。
【請求項５】
請求項２に記載の端子台において、磁心部材が、複数の端子板と個々に対応する複数の貫通穴を有する単体の閉磁路コアであることを特徴とする端子台。
【請求項６】
請求項２に記載の端子台において、磁心部材が、その貫通穴に複数の端子板を一括貫通させてコモンモード・ノイズに対応させた単体の閉磁路コアであることを特徴とする端子台。
【請求項７】
請求項３に記載の端子台において、端子板の中間部位を逆Ｕ字状に屈曲形成した上で、該屈曲部を開磁路コアの表面に添わせて配置したことを特徴とする端子台。
【請求項８】
電子機器ユニットに適用する端子台であり、その絶縁基台上に並置して電源ラインないし信号ラインの外部配線に対応する端子板を敷設したものにおいて、
前記の電源，信号ラインを伝播経路とする伝導ノイズの減衰手段として、絶縁基台を磁性粉末が混入した樹脂成形品で構成したことを特徴とする端子台。
【発明の詳細な説明】
【技術分野】
【０００１】
本発明は、ＥＭＩ対策が要求されるスイッチング電源、インバータなどの電子機器ユニットに適用して電源ライン，信号ラインの外部配線を接続する端子台に関する。
【背景技術】
【０００２】
頭記したスイッチング電源，インバータなどの電子機器に対するＥＭＩ（Electro Magnetic Interference）対策として、従来では電子機器の電源ラインにコモンモード・チョークコイル，ノーマルモード・チョークコイルにコンデンサを組合せたノイズフィルタ装置を設ける（例えば、特許文献１参照）、あるいは電源ライン，信号ラインの配線にフェライトビーズ、フェライトコアを設ける（例えば、特許文献２参照）などして、電源ライン，信号ラインを伝播経路として外部から電子機器に侵入する外来ノイズ、電子機器のスイッチング回路に発生する・サージ，リップルなどの放出ノイズを減衰させるようにしている。また、ノイズフィルタとして、プリント基板に面実装するインレット型ノイズフィルタなども知られている。
【特許文献１】特開平１１−３４１７８７号公報
【特許文献２】特開２００３−３２４９７０号公報
【発明の開示】
【発明が解決しようとする課題】
【０００３】
ところで、前記のように電子機器ユニットのＥＭＩ対策として、そのユニット内部に配線した電源ライン，信号ラインの回路にノイズフィルタ，フェライトコアなどのノイズ対策部品を付設した構成では、ユニットに追加する部品点数，組み付け工数が増してコスト高となるほか、ユニットも大形化するといった問題がある。
【０００４】
本発明は上記の点に鑑みなされたものであり、電子機器ユニットの内部回路に前記のノイズ対策部品を付設する代わりに、ユニットの端子台にノイズフィルタ機能を持たせてＥＭＩ対策に使用する部品点数，組立工数の低減化が図れるようにした新規な端子台を提供することを目的とする。
【課題を解決するための手段】
【０００５】
上記目的を達成するために、本発明によれば、電子機器ユニットに適用する端子台であり、その絶縁基台上に並置して電源ラインないし信号ラインの外部配線に対応する端子板を敷設したものにおいて、
前記の電源，信号ラインを伝播経路とする伝導ノイズの減衰手段として、絶縁基台に、端子板と組合せてチョークコイルを構成する磁心部材を設けるものとし（請求項１）、具体的には次記のような態様で構成する。
（１）前記磁心部材を絶縁基台に組み付けた閉磁路コアで構成し、該コアに端子板を貫通させて配置する（請求項２）。
（２）前記磁心部材を絶縁基台に組み付けた開磁路コアで構成し、該コアを端子板に添わせて配置する（請求項３）。
（３）前項（１）における磁心部材が、各端子板と個々に対応する複数の閉磁路コアである（請求項４）。
（４）前項（１）における磁心部材が、複数の端子板と個々に対応する複数の貫通穴を有する単体の閉磁路コアである（請求項５）。
（５）前項（１）における磁心部材が、その貫通穴に複数の端子板を一括貫通させてコモンモード・ノイズに対応させた単体の閉磁路コアである（請求項６）。
（６）前項（２）の構成において、端子板の中間部位を逆Ｕ字状に屈曲形成した上で、該屈曲部を開磁路コアの表面に添わせて配置する（請求項７）。
（７）前記の各項に記した磁心部材を設ける代わりに、絶縁基台を磁性材粉が混在した樹脂成形品で構成して磁心機能を持たせるようにする（請求項８）。
【発明の効果】
【０００６】
上記構成の端子台によれば、端子板と、追加装備した磁心部材，ないし磁性を付与した絶縁基台とでノイズ減衰用のチョークコイルを構成し、端子台自身がノイズフィルタ機能を有することになる。したがって、この端子台を電子機器ユニットに適用して電源ライン，信号ラインの外部配線を接続することにより、従来のように電子機器のユニット内部に多数のフィルタ部品を組み付けることなしに、ＥＭＩ対策に対応させることができて電子機器のコスト低減化が図れる。
【発明を実施するための最良の形態】
【０００７】
以下、本発明の実施の形態を図示の実施例に基づいて説明する。すなわち、後記する各実施例の端子台においては、端子台の端子板に接続する入，出力用の電源ライン、ないし信号ラインを伝播経路とする外来，放出ノイズを減衰させる手段として、端子台の絶縁基台には端子板と組合せてチョークコイルを構成する磁心部材が追加装備されている。なお、各図示例の端子台は、一例として３相４線式インバータ装置の電源ラインに適用する端子台を想定しており、この端子台を介して電源ラインの外部配線をインバータ装置の主回路に配線するようにしている。
【実施例１】
【０００８】
まず、本発明の基本的な実施例として請求項２に係わる構成を図１（ａ），（ｂ）に示す。図において、１は端子台の絶縁基台（樹脂モールド品）、１ａは絶縁隔壁（相間隔壁）、２は絶縁基台１の上面に並べて絶縁隔壁１ａの間に敷設した端子板（電源ラインのＵ，Ｖ，Ｗ相，および中性線に対応）、３は端子板３の両端に螺設した端子ねじ、４は磁心部材として絶縁基台１に追加装備したリング状の閉磁路コア、５，６は端子板２に接続した外部，内部の配線である。
【０００９】
ここで、前記の閉磁路コア（磁心部材）４は例えばフェライトコアであり、絶縁隔壁１ａの間に１個ずつ介挿して絶縁基台１に例えば接着剤で固着し、各個のコア４ごとにその貫通穴４ａに端子板２を貫通配置している。
【００１０】
上記構成の端子台においては、端子板２と該端子板に嵌挿した閉磁路コア４とでチョークコイル（インダクター）を構成し、このチョークコイルをノイズフィルタとして端子板２に接続した電源ラインの配線を伝播経路とする伝導ノイズ（ノーマルモード・ノイズ、コモンモード・ノイズ）を減衰させる。これにより、従来装置のように電子機器のユニット内部にノイズフィルタ回路を付設したり、配線にフェライトビーズ，フェライトコアなどノイズ対策部品を組み付けたりする必要がなく、端子台自身にノイズフィルタ機能を付与してノイズ障害を抑制できる。
【実施例２】
【００１１】
次に、本発明の請求項３に係わる実施例を図２（ａ）〜（ｃ）に示す。この実施例においては、端子台の絶縁基台１に付設した磁心部材がブロック状の開磁路コア７であり、このコア７は端子板２の裏面側に対峙して絶縁基台１の上面に埋設されている。この構造においても、図１に示した先記実施例１と同様に、端子板２と開磁路コア７からなるチョークコイルで端子台にノイズフィルタ機能を持たせている。なお、開磁路コア７は実施例１の閉磁路コア４に比べて磁気飽和が起こり難いので、特に大電流が流れる電源ラインの端子台として好適である。
【実施例３】
【００１２】
次に、先記実施例２の応用実施例として本発明の請求項７に係わる実施例の構成を図３（ａ）〜（ｃ）に示す。この実施例においては、先記実施例２におけるブロック形状の開磁路コア７（図２参照）を、絶縁基台１に対して端子板２の敷設経路を横切るように絶縁基台１の上面から突き出すように配置するとともに、端子板２はその中間部位を逆Ｕ字状に屈曲形成し、この屈曲部２ａがコア７の上を跨がるように配置している。
【００１３】
この構造，配置により、端子板２の屈曲部２ａがコア７の表面（上面および側面）に対峙するようになる。したがって、通電によって端子板２の周囲に発生する磁束のうちコア７と鎖交する割合が図２の配置と比べて増加し、これによりノイズフィルタとしてのノイズ減衰機能が向上する。
【実施例４】
【００１４】
次に、先記した実施例１の応用実施例として本発明の請求項５に係わる実施例を図４（ａ），（ｂ）に示す。すなわち、図１の端子台では子板２ごとに閉磁路コア４を貫通配置しているのに対して、この実施例では閉磁路コア４を単体ブロックのコアとして、各端子板２の数に対応する複数の貫通穴を左右に並べて形成し、この貫通穴に全ての端子板２を１本ずつ貫通させて配置するようにしている。また、８はコア４に対する端子板２の絶縁材であり、コア４の材質が導電性を有する金属磁心である場合に端子板２の間が短絡するのを防いでいる。なお、コア４がフェライトのように高抵抗率の材質であれば、絶縁材８を省略することも可能である。
【００１５】
この構成により、図１と同等なノイズフィルタ機能を確保しつつ、部品点数も少なくて端子台の構造をより簡素化できる。
【実施例５】
【００１６】
図５（ａ），（ｂ）は先記実施例４の変形実施例を示すものである。この実施例では、端子板２をＵ，Ｖ，Ｗ各相の電源ラインとグランド線ＧＮＤとに分けた上で、電源ラインＵ，Ｖ，Ｗに対応する端子板２に図４と同様な閉磁路コア４を付設している。なお、グランド線ＧＮＤに対しては、端子台とは別にその配線に例えばフェライトコアを設けてもよい。
【実施例６】
【００１７】
図６（ａ），（ｂ）は図５における閉磁路コア４の形状を替えた変形実施例を示すものである。この実施例では、閉磁路コア４の貫通穴４ａに電源ラインのＵ，Ｖ，Ｗ相に対応する端子板２を一括嵌挿してコモンモード・チョークを構成するようにしている。
【００１８】
この実施例の端子台は、特にコモンモード・ノイズに対して有効に機能する。
【００１９】
なお、以上述べた各実施例は電源ライン用の端子台について述べたが、信号ラインの端子台としても適用できることは勿論である。また、この場合に端子台に設けた磁心部材は、電源ライン，信号ラインに通流するノイズの性状（周波数など）に応じて適正な材質（透磁率）を選択する、あるいは材質の異なる磁心を組合せて実施してもよい。
【実施例７】
【００２０】
最後に本発明の請求項８に対応する実施例を図７に示す。この実施例では、モールド樹脂にフェライトなどの磁性粉末１ｂを混入して絶縁基台１を成形し、この基台１に端子板２を敷設して端子台を構成している。これにより、絶縁基台に磁心部材を設けた先記の各実施例と同様に、端子台にノイズ減衰機能を持たせることができる。
【図面の簡単な説明】
【００２１】
【図１】本発明の実施例１に係わる端子台の構成図で、（ａ）は平面図、（ｂ）は（ａ）の矢視Ｘ−Ｘ断面図
【図２】本発明の実施例２に係わる端子台の構成図で、（ａ）は平面図、（ｂ），（ｃ）はそれぞれ（ａ）の正面，側視断面図
【図３】本発明の実施例３に係わる端子台の構成図で、（ａ）は平面図、（ｂ），（ｃ）はそれぞれ（ａ）の正面，側視断面図
【図４】本発明の実施例４に係わる端子台の構成図で、（ａ），（ｂ）はそれぞれ平面図，および断面図
【図５】本発明の実施例５に係わる端子台の構成図で、（ａ），（ｂ）はそれぞれ平面図，および断面図
【図６】本発明の実施例６に係わる端子台の構成図で、（ａ），（ｂ）はそれぞれ平面図，および断面図
【図７】本発明の実施例７に係わる端子台の構成断面図
【符号の説明】
【００２２】
１    端子台の絶縁基台
１ａ  絶縁隔壁
２    端子板
２ａ  屈曲部
３    端子ねじ
４    閉磁路コア（磁心部材）
５，６  配線
７    開磁路コア（磁心部材）
【図１】
2008004508.tif 000003
【図２】
2008004508.tif 000004
【図３】
2008004508.tif 000005
【図４】
2008004508.tif 000006
【図５】
2008004508.tif 000007
【図６】
2008004508.tif 000008
【図７】
2008004508.tif 000009